(57)【要約】【課題】抗アレルゲン性、抗菌性、抗ウィルス性、防カビ性を持ち、地球環境への負荷の小さい可燃材料で構成され、フィルタを後加工せずに複数の有効成分を一体的に保有したハニカムフィルタを提供することを目的とする。【解決手段】抗アレルゲン性を有する素材、抗菌性を有する素材、抗ウィルス性を有する素材、防カビ性を有する素材の中から選ばれる２つ以上の素材を混合した混合液を、紙製のライナー部材１０とフルート部材１３に塗布した後に、ハニカム構造を形成することにより高機能なハニカムフィルタ１７が得られる。【選択図】図１
2006102688.tif 000002
【特許請求の範囲】
【請求項１】
抗アレルゲン性を有する素材、抗菌性を有する素材、抗ウィルス性を有する素材、防カビ性を有する素材の中から選ばれる２つ以上の素材を混合した混合液を、紙製のライナー部材とフルート部材に塗布したハニカム構造をなすハニカムフィルタ。
【請求項２】
抗アレルゲン性を有する素材、抗菌性を有する素材、抗ウィルス性を有する素材、防カビ性を有する素材の中から、親水性に属する素材を選んで混合した親水性混合液と、親油性に属する素材を選んで混合した親油性混合液と、この親水性混合液と親油性混合液の一方を紙製のライナー部材に塗布し、他方の混合液を紙製のフルート部材に塗布し、ハニカム構造を形成したハニカムフィルタ。
【請求項３】
抗アレルゲン性を有する素材、抗菌性を有する素材、抗ウィルス性を有する素材、防カビ性を有する素材の中から、親水性に属する素材を選んで混合した親水性混合液と、親油性に属する素材を選んで混合した親油性混合液と、この親水性混合液と親油性混合液の溶液の一方を紙製のライナー部材とフルート部材の片面に塗布し、他方の混合液を裏面に塗布し、ハニカム構造を形成したハニカムフィルタ。
【請求項４】
抗ウィルス性を有する素材がカテキン類であり、その素材を一部酸化させてなる請求項１〜３記載のハニカムフィルタ。
【請求項５】
ハニカムフィルタの表面に撥水剤を塗布した請求項１〜４いずれかに記載のハニカムフィルタ。
【請求項６】
親油性混合液を塗布したライナー部材またはフルート部材に親水性塗料を塗布し、親水性混合液を塗布したライナー部材またはフルート部材に撥水剤を塗布してなる請求項２または３記載のハニカムフィルタ。
【請求項７】
抗アレルゲン性を有する素材、抗菌性を有する素材、抗ウィルス性を有する素材、防カビ性を有する素材の中から、親水性に属する素材を選んで混合して親水性混合液を作り、この親水性混合液をライナー部材に塗布して乾燥し、抗アレルゲン性を有する素材、抗菌性を有する素材、抗ウィルス性を有する素材、防カビ性を有する素材の中から、親油性に属する素材を選んで混合して親油性混合液を作り、この親油性混合液をフルート部材に塗布して乾燥し、前記ライナー部材と前記フルート部材を接着剤で貼り合わせてハニカム構造を形成してなるハニカムフィルタの製造方法。
【請求項８】
抗アレルゲン性を有する素材、抗菌性を有する素材、抗ウィルス性を有する素材、防カビ性を有する素材の中から、親水性に属する素材を選んで混合して親水性混合液を作るとともに、親油性に属する素材を選んで混合して親油性混合液を作り、この親油性混合液をライナー部材とフルート部材の表面に塗布して乾燥し、さらに前記親水性混合液をこのライナー部材とフルート部材の裏面に塗布して乾燥し、前記ライナー部材と前記フルート部材を接着剤で貼り合わせてハニカム構造を形成してなるハニカムフィルタの製造方法。
【発明の詳細な説明】
【技術分野】
【０００１】
本発明は、空気中に浮遊する有害物質を除去するハニカムフィルタとその製造方法に関するものである。
【背景技術】
【０００２】
従来、この種のハニカムフィルタは防塵と脱臭を同時に行うフィルタが知られている（例えば、特許文献１参照）。
【０００３】
また、ダニや花粉等のアレルゲン性を有するたんぱく質、あるいは細菌やウィルス等の有害物質を捕集し、それらを不活化するフィルタとして空気清浄機や換気装置への応用展開が図られている（例えば、特許文献２参照）。
【特許文献１】特開平７−２４１４９１号公報
【特許文献２】特開２０００−５５３１号公報
【発明の開示】
【発明が解決しようとする課題】
【０００４】
このような従来のハニカムフィルタでは、主に防塵機能と脱臭機能が記載されているのみで、捕獲した粉塵中のアレルゲン物質や細菌、カビ、ウイルスなどを不活化する機能がなく、粉塵が再飛散した場合に有害物質が活性化する可能性があるという課題があり、ハニカム形状のフィルタにおいても、上記有害物質を不活化することが要求されている。
【０００５】
また、抗アレルゲン剤をフィルタに塗布させてなる抗アレルゲンフィルタは、単独では抗アレルゲン作用をもつにすぎず、抗菌、防カビ作用を持たせるためには別途加工する必要があるという課題があり、フィルタに後加工することなく複数の有効成分を一体的に保有するハニカムフィルタが要求されている。
【０００６】
また、フィルタが水分に触れると塗布された水溶性素材が流出しやすいという課題があり、水溶性素材が流出し難いハニカムフィルタが要求されている。
【０００７】
本発明は、このような従来の課題を解決するものであり、捕獲した粉塵中のアレルゲン物質や細菌、カビ、ウイルスなどを不活化でき、フィルタの後加工なしに複数の有効成分を一体的に保有し、水溶性の有効成分が流出し難いハニカムフィルタとその製造方法を提供することを目的とする。
【課題を解決するための手段】
【０００８】
本発明のハニカムフィルタは、上記目的を達成するために、抗アレルゲン性を有する素材、抗菌性を有する素材、抗ウィルス性を有する素材、防カビ性を有する素材の中から選ばれる２つ以上の素材を混合した混合液を、紙製のライナー部材とフルート部材に塗布したハニカム構造を形成したものである。
【０００９】
また他の手段は、抗アレルゲン性を有する素材、抗菌性を有する素材、抗ウィルス性を有する素材、防カビ性を有する素材を、親水性に属する素材と親油性に属する素材に分けてそれぞれの混合溶液を調製し、溶液の一方を塗布した紙をライナー部材として、他方を塗布した紙をフルート部材として用いて成形したものである。
【００１０】
また他の手段は、抗アレルゲン性を有する素材、抗菌性を有する素材、抗ウィルス性を有する素材、防カビ性を有する素材を、親水性に属する素材を親油性に属する素材に分けてそれぞれの混合溶液を調製し、溶液の一方を紙の片面に塗布し、他方をその裏面に塗布したものである。
【００１１】
また他の手段は、抗ウィルス性を有する素材がカテキン類であり、その素材を一部酸化させたものである。
【００１２】
また他の手段は、ハニカムフィルタの表面に撥水剤を塗布したものである。
【００１３】
また他の手段は、親油性混合液を塗布したライナー部材またはフルート部材に親水性塗料を塗布し、親水性混合液を塗布したライナー部材またはフルート部材に撥水剤を塗布したものである。
【００１４】
これらの手段により、捕獲した粉塵中のアレルゲン物質や細菌、カビ、ウイルスなどを不活化でき、フィルタの後加工なしに複数の有効成分を一体的に保有し、地球環境への負荷の小さい可燃材料で構成されたハニカムフィルタが得られる。
【００１５】
また、本発明のハニカムフィルタの製造方法は、抗アレルゲン性を有する素材、抗菌性を有する素材、抗ウィルス性を有する素材、防カビ性を有する素材の中から、親水性に属する素材を選んで混合して親水性混合液を作り、この親水性混合液をライナー部材に塗布して乾燥し、抗アレルゲン性を有する素材、抗菌性を有する素材、抗ウィルス性を有する素材、防カビ性を有する素材の中から、親油性に属する素材を選んで混合して親油性混合液を作り、この親油性混合液をフルート部材に塗布して乾燥し、前記ライナー部材と前記フルート部材を接着剤で貼り合わせてハニカム構造を形成したものである。
【００１６】
また他の手段は、抗アレルゲン性を有する素材、抗菌性を有する素材、抗ウィルス性を有する素材、防カビ性を有する素材の中から、親水性に属する素材を選んで混合して親水性混合液を作るとともに、親油性に属する素材を選んで混合して親油性混合液を作り、この親油性混合液をライナー部材とフルート部材の表面に塗布して乾燥し、さらに前記親水性混合液をこのライナー部材とフルート部材の裏面に塗布して乾燥し、前記ライナー部材と前記フルート部材を接着剤で貼り合わせてハニカム構造を形成したものである。
【００１７】
これらの手段により、捕獲した粉塵中のアレルゲン物質や細菌、カビ、ウイルスなどを不活化でき、フィルタの後加工なしに複数の有効成分を一体的に保有し、地球環境への負荷の小さい可燃材料で構成されたハニカムフィルタの製造方法が得られる。
【発明の効果】
【００１８】
本発明によれば、紙製のフィルタ素材を加工する前に、混合溶液の有効成分を直接的に塗布できるので、フィルタに加工して使用するときに、アレルゲン物質やウィルス、菌、カビの活性を抑制する機能を高めるという効果のあるハニカムフィルタを提供できる。
【００１９】
また、親水性溶液と親油性溶液からなる混合し難い２種の溶液を区分けして扱い、それぞれの溶液を別々のフィルタ素材にムラなく直接的に塗布できるので、フィルタに加工して使用するときに、不活化機能を高める効果のあるハニカムフィルタを提供できる。
【００２０】
また、親水性溶液と親油性溶液からなる混合し難い２種の溶液を区分けして扱い、それぞれの溶液をフィルタ素材の裏表にムラなく直接的に塗布できるので、不活化機能を高めるとともに、塗布後のフィルター素材の管理が容易になるという効果のあるハニカムフィルタを提供できる。
【００２１】
また、使用前に酸化処理を施すことにより、フィルタ使用中にカテキン類の酸化による変色を抑えるという効果のあるハニカムフィルタを提供できる。
【００２２】
また、水分が付着したときにカテキン等の水溶性素材の流出を抑えて、不活化機能を維持できる効果のあるハニカムフィルタを提供できる。
【００２３】
また、フィルタに付着したアレルゲン物質などの有害物質に対して、抗アレルゲン性素材などの有効成分の浸透性を高め、不活化機能を強化する効果のあるハニカムフィルタを提供できる。
【００２４】
また、混合し難い複数の素材からなる混合溶液を、親水性溶液と親油性溶液からなる２種の溶液に区分けして扱い、それぞれの溶液を別々のフィルタ素材にムラなく直接的に塗布でき、ハニカム形状に加工したときに、不活化機能を高める効果のあるハニカムフィルタの製造方法を提供できる。
【００２５】
また、混合し難い複数の素材からなる混合溶液を、親水性溶液と親油性溶液からなる２種の溶液に区分けして扱い、それぞれの溶液をフィルタ素材の裏表にムラなく直接的に塗布でき、ハニカム形状に加工したときに、不活化機能を高めるとともに、塗布後のフィルター素材の管理が容易になるという効果のあるハニカムフィルタの製造方法を提供できる。
【発明を実施するための最良の形態】
【００２６】
本発明の請求項１記載の発明は、抗アレルゲン性を有する素材、抗菌性を有する素材、抗ウィルス性を有する素材、防カビ性を有する素材の中から選ばれる２つ以上の素材を塗布した紙製のライナー部材と同フルート部材で構成されるものであり、紙製のフィルタ素材を加工する前に混合溶液を直接的に塗布できるので、ハニカムフィルタに加工して使用するときに、アレルゲン物質やウィルス、菌、カビの活性を抑制する機能を高めるという作用を有する。
【００２７】
また、抗アレルゲン性を有する素材、抗菌性を有する素材、抗ウィルス性を有する素材、防カビ性を有する素材の中から、親水性に属する素材を選んで混合した親水性混合液と、親油性に属する素材を選んで混合した親油性混合液と、この親水性混合液と親油性混合液の一方を紙製のライナー部材に塗布し、他方の混合液を紙製のフルート部材に塗布し、ハニカム構造を形成したものであり、親水性溶液と親油性溶液からなる混合し難い２種の溶液を区分して別々のフィルタ素材にムラなく直接的に塗布できるので、フィルタに加工して使用するときに、不活化機能を高めるという作用を有する。
【００２８】
また、抗アレルゲン性を有する素材、抗菌性を有する素材、抗ウィルス性を有する素材、防カビ性を有する素材の中から、親水性に属する素材を選んで混合した親水性混合液と、親油性に属する素材を選んで混合した親油性混合液と、この親水性混合液と親油性混合液の溶液の一方を紙製のライナー部材とフルート部材の片面に塗布し、他方の混合液を裏面に塗布し、ハニカム構造を形成したものであり、親水性溶液と親油性溶液からなる混合し難い２種の溶液を区分けして扱い、それぞれの溶液をフィルタ素材の裏表にムラなく直接的に塗布できるので、不活化機能を高めるとともに、塗布後のフィルター素材の管理が容易になるという作用を有する。
【００２９】
また、抗ウィルス性を有する素材がカテキン類であり、その素材を一部酸化させたものであり、使用中に起こる酸化が原因の変色を目立たなくするという作用を有する。
【００３０】
また、ハニカムフィルタの表面に撥水剤を塗布したものであり、水滴が付着してもカテキン等の水溶性素材の流出を抑制するという作用を有する。
【００３１】
また、親油性混合液を塗布したライナー部材またはフルート部材に親水性塗料を塗布し、親水性混合液を塗布したライナー部材またはフルート部材に撥水剤を塗布したものであり、フィルタに付着したアレルゲン物質などの有害物質に対して親油性素材の浸透性を高め、フィルタ表面に水滴が付着したときにカテキン等の水溶性素材の流出を抑制するという作用を有する。
【００３２】
また、抗アレルゲン性を有する素材、抗菌性を有する素材、抗ウィルス性を有する素材、防カビ性を有する素材の中から、親水性に属する素材を選んで混合して親水性混合液を作り、この親水性混合液をライナー部材に塗布して乾燥し、抗アレルゲン性を有する素材、抗菌性を有する素材、抗ウィルス性を有する素材、防カビ性を有する素材の中から、親油性に属する素材を選んで混合して親油性混合液を作り、この親油性混合液をフルート部材に塗布して乾燥し、前記ライナー部材と前記フルート部材を接着剤で貼り合わせてハニカム構造を形成してなるハニカムフィルタの製造方法としたものであり、成型されたハニカムフィルタを溶液にディップして塗布する方法に比べて、塗布面の均一性を高めて品質を保つとともに、短時間で大量かつ安価に製造することができるという作用を有する。
【００３３】
また、抗アレルゲン性を有する素材、抗菌性を有する素材、抗ウィルス性を有する素材、防カビ性を有する素材の中から、親水性に属する素材を選んで混合して親水性混合液を作るとともに、親油性に属する素材を選んで混合して親油性混合液を作り、この親油性混合液をライナー部材とフルート部材の表面に塗布して乾燥し、さらに前記親水性混合液をこのライナー部材とフルート部材の裏面に塗布して乾燥し、前記ライナー部材と前記フルート部材を接着剤で貼り合わせてハニカム構造を形成してなるハニカムフィルタの製造方法としたものであり、成型されたハニカムフィルタを溶液にディップして塗布する方法に比べて、塗布面の均一性が高く、短時間で大量かつ安価に製造することができ、塗布後のフィルター素材の管理が容易になるという作用を有する。
【００３４】
以下、本発明の実施の形態について図面を参照しながら説明する。
【００３５】
（実施の形態１）
図１に示すように、紙素材となるクラフト紙を巻き上げたロール１からクラフト紙２を矢印方向へ引き出し、クラフト紙２を溶液塗布用のグラビアロール３に通して有効成分を塗布し、乾燥炉４を通過させて乾燥したものをロール５に巻き取ることにより、ライナー部材１０とフルート部材１３の前加工を施すものである。
【００３６】
すなわちグラビアロール３直下の塗料槽７に、抗アレルゲン性素材、抗ウィルス性素材、防カビ性素材、抗菌性素材を混合した混合液６を注入し、クラフト紙２を一定速度で移動させてグラビアロール３を通過させるときに、回転するグラビアロール３に付着した混合液６がクラフト紙２へ塗布されるものである。混合液６が塗布されたクラフト紙２は次に１００度Ｃ以上に保たれた乾燥炉４に入り、混合液６中の揮発成分を蒸発させて乾燥することにより、混合液６中の有効成分がクラフト紙に残留する。有効成分が塗布されたクラフト紙８は最後に巻き取られてロール５となる。
【００３７】
図２に示すように、ロール５を２本用意し、一方のロール９はハニカムフィルタを構成するためにライナー部材１０として使用し、他方のロール１１は歯車状のコルゲータ１２により蛇腹状に加工し、フルート部材１３として使用する。
【００３８】
ライナー部材１０とフルート部材１３は図３に示すように、フルート部材１３の山１４になった部分がライナー部材１０と接着するように貼り合わせ、ハニカム用材１５とする。
【００３９】
図４に示すように、ハニカム用材１５を複数段積層し、ライナー部材１０で外周を補強してハニカムブロック１６を形成し、さらにハニカムブロック１６を所定の厚さにスライスしてハニカムフィルタ１７を作成することができる。
【００４０】
このとき、フルート部材１３とライナー部材１０には混合液６が塗布され乾燥されているので、ハニカムブロック１６はスライス時の圧力に対して形状を維持できる強度や堅さが得られるので、スライス作業を容易にすることができ、ハニカムフィルタ１７の寸法精度を確保することができる。
【００４１】
なお、混合液６を調合する前に、混合液６に含まれるカテキン成分を空気に触れるように放置し、このカテキン成分の酸化による変色が進んでから混合液６を調合することにより、ハニカムフィルタ１７の使用中の変色を目立たなくすることができる。
【００４２】
このとき酸化を促す手段は特に限定しないが、１００度Ｃ程度に加熱したり、日光に当てたり、人工的に紫外線照射をすることも有効であり、混合液６を塗布した後の乾燥時に酸化させることも可能である。また乾燥工程において、乾燥温度を高くしたり、乾燥時間を長く保つようにしてもよい。
【００４３】
また、スライス後のハニカムフィルタ１７の表面に撥水剤（図示せず）を塗布することにより、ハニカムフィルタ１７が水滴に触れたときにカテキン等の水溶性素材の流出を抑制することができる。
【００４４】
（実施の形態２）
図６（イ）に示すように、抗アレルゲン性を有する素材、抗菌性を有する素材、抗ウィルス性を有する素材、防カビ性を有する素材の中から、親水性に属する素材だけを選択的に混合してなる親水性混合液６ａを、グラビアロール３直下の塗料槽７に配置する。次にクラフト紙２を一定速度で移動させてグラビアロール３を通過させるときに、回転するグラビアロール３に付着した親水性混合液６ａがクラフト紙２へ塗布される。さらに１００度Ｃ以上に保たれた乾燥炉４に入り、親水性混合液６ａ中の揮発成分を蒸発させて乾燥することにより、親水性混合液６ａ中の有効成分がクラフト紙に残留する。親水性の有効成分が塗布されたクラフト紙８ａが最後に巻き取られてロール５ａとなる。
【００４５】
図６（ロ）に示すように、抗アレルゲン性を有する素材、抗菌性を有する素材、抗ウィルス性を有する素材、防カビ性を有する素材の中から、親油性に属する素材だけを選択的に混合してなる親油性混合液６ｂを、グラビアロール３直下の塗料槽７に配置する。あとは上記と同様の工程を経て、親油性の有効成分が塗布されたクラフト紙８ｂが最後に巻き取られてロール５ｂとなる。
【００４６】
親水性の有効成分が塗布されたクラフト紙８ａをライナー部材１０Ａの素材とし、親油性の有効成分が塗布されたクラフト紙８ｂをフルート部材１３Ａとし、ライナー部材１０Ａとフルート部材１３Ａを貼り合わせたハニカム用材を複数段積層してハニカムブロックを形成し、さらに所定の厚さにスライスして、ハニカムフィルタ１７Ａを得ることができる。
【００４７】
なお、抗アレルゲン剤などを含む親油性混合液６ｂを塗布したクラフト紙８ｂに親水性塗料（図示せず）を上塗りすることにより、フィルタに付着した有害物質に対して、有効成分の浸透性を高めて不活化機能を強化することができ、抗ウイルス剤などを含む親水性混合液６ａを塗布したクラフト紙８ａに撥水性塗料（図示せず）を上塗りすることにより、ハニカムフィルタが水滴に触れたときにカテキン等の水溶性素材の流出を未然に防ぐことができる。
【００４８】
また、本実施の形態では、親水性の有効成分が塗布されたクラフト紙８ａをライナー部材１０Ａの素材とし、親油性の有効成分が塗布されたクラフト紙８ｂをフルート部材１３Ａとしたが、親水性の有効成分が塗布されたクラフト紙８ａをフルート部材とし、親油性の有効成分が塗布されたクラフト紙８ｂをライナー部材としてもよい。
【００４９】
（実施の形態３）
図７（イ）に示すように、抗アレルゲン性を有する素材、抗菌性を有する素材、抗ウィルス性を有する素材、防カビ性を有する素材の中から、親水性に属する素材だけを選択的に混合してなる親水性混合液６ａを、グラビアロール３ａ直下の塗料槽７に配置する。また抗アレルゲン性を有する素材、抗菌性を有する素材、抗ウィルス性を有する素材、防カビ性を有する素材の中から、親油性に属する素材だけを選択的に混合してなる親油性混合液６ｂを、グラビアロール３ｂ直下の塗料槽７ｂに配置する。
【００５０】
上記構成において、クラフト紙２を一定速度で移動させてグラビアロール３ａを通過させるときに、回転するグラビアロール３ａに付着した親水性混合液６ａがクラフト紙２の片面へ塗布される。親水性混合液６ａが片面に塗布されたクラフト紙２は１００度Ｃ以上に保たれた乾燥炉４ａに入り、親水性混合液６ａ中の揮発成分を蒸発させて乾燥することにより、親水性混合液６ａ中の有効成分がクラフト紙２の片面に残留する。さらにグラビアロール３ｂを通過させるときに、回転するグラビアロール３ｂに付着した混合液６ｂがクラフト紙２の他の片面へ塗布される。親油性混合液６ｂが塗布されたクラフト紙２は１００度Ｃ以上に保たれた第２の乾燥炉４ｂに入り、親油性混合液６ｂ中の揮発成分を蒸発させて乾燥してクラフト紙８ｃとなり、最後に巻き取られてロール５ｃとなる。
【００５１】
このクラフト紙８ｃをライナー部材１０Ｂとフルート部材１３Ｂに加工し、両者を貼り合わせたハニカム用材を複数段積層してハニカムブロックを形成し、さらに所定の厚さにスライスして、ハニカムフィルタ１７Ｂを得ることができる。
【００５２】
このように、混合し難い複数の素材からなる混合溶液を、親水性溶液と親油性溶液からなる２種の溶液に区分けして扱い、それぞれの溶液をフィルタ素材の裏表にムラなく直接的に塗布できるので、ハニカムフィルタ１７Ｂは有害物質に対する不活化機能を高めることができるとともに、クラフト紙８ｃのみからライナー部材１０Ｂとフルート部材１３Ｂの両方を作ることができるので、クラフト紙８ｃの製造管理および維持管理を簡単に行うことができる。
【産業上の利用可能性】
【００５３】
本発明のハニカムフィルタを扇風機、加湿機、除湿機、暖房機器などの空調送風機器の吸込口または吹出口に取り付けることにより、室内に浮遊するアレルゲン物質、ウィルス、菌、カビを捕集し、それらの活性を抑制する用途に使うことができる。  
【図面の簡単な説明】
【００５４】
【図１】実施の形態１のハニカムフィルタの塗布工程の説明図
【図２】（イ）同ハニカムフィルタのライナー部材の加工方法の説明図（ロ）同フルート部材の加工方法の説明図
【図３】同ハニカム用材の断面図
【図４】同ハニカムブロックの斜視図
【図５】同ハニカムフィルタの斜視図
【図６】（イ）実施の形態２のハニカムフィルタの親水性溶液の塗布工程の説明図（ロ）同親油性溶液の塗布工程の説明図（ハ）同ハニカムフィルタの斜視図
【図７】（イ）実施の形態３のハニカムフィルタの塗布工程の説明図（ロ）同ハニカムフィルタの斜視図
【符号の説明】
【００５５】
２      クラフト紙
６      混合液
６ａ    親水性混合液
６ｂ    親油性混合液
１０    ライナー部材
１０Ａ  ライナー部材
１０Ｂ  ライナー部材
１３    フルート部材
１３Ａ  フルート部材
１３Ｂ  フルート部材
１７    ハニカムフィルタ
１７Ａ  ハニカムフィルタ
１７Ｂ  ハニカムフィルタ
【図１】
2006102688.tif 000003
【図３】
2006102688.tif 000004
【図４】
2006102688.tif 000005
【図５】
2006102688.tif 000006
【図６】
2006102688.tif 000007
【図７】
2006102688.tif 000008
【図２】
2006102688.tif 000009